(57)【要約】  本発明は非常照明灯が備えられた火災用酸素呼吸器に関し、より詳しくは、火災、災難、緊急状況の発生の時、呼吸しにくい暗い空間で安全に避難することができるようにするために、本発明は、非常照明灯が備えられた火災用酸素呼吸器において、上部に凹入部が形成され、高圧の酸素が充填される酸素ボンベと；前記酸素ボンベ内部の酸素が所定長さに延長された流出通路を経て減圧された低圧の状態で放出させるための酸素排出手段と；前記排出手段の下部酸素出口側に付着されたノズルと；からなる酸素呼吸器と；前記凹入部に透明なカバーを有するケースを結合し、前記ケースの内側に発光ダイオード（ＬＥＤ）ランプを有する印刷回路基板が内装され、前記印刷回路基板の下部に内装型バッテリーが備えられ、前記ケースの外側に点灯スイッチが備えられた照明灯と；で構成されたことを特徴とする非常照明灯が備えられた火災用酸素呼吸器を提案する。【選択図】図１
2012533396.tif 000002
【特許請求の範囲】
【請求項１】
非常照明灯が備えられた火災用酸素呼吸器において、
上部に凹入部（１４）が形成され、高圧の酸素が充填される酸素ボンベ（１２）と；前記酸素ボンベ（１２）内部の酸素が所定長さに延長された流出通路（２４）を経て減圧された低圧の状態に放出させるための酸素排出手段（２０）と；前記排出手段（２０）の下部酸素出口側に付着されたノズル（３６）と；で構成される酸素呼吸器（１０）と；
前記凹入部（１４）に透明なカバー（４３）を有するケース（４２）が結合され、前記ケース（４２）の内側に発光ダイオード（ＬＥＤ）ランプ（４５）を有する印刷回路基板（４６）が内装され、前記印刷回路基板（４６）の下部に内装型バッテリー（４８）が備えられ、前記ケース（４２）の外側に点灯スイッチ（４７）が備えられた照明灯（４０）と；で構成されることを特徴とする非常照明灯が備えられた火災用酸素呼吸器。
【請求項２】
前記酸素排出手段（２０）は、
前記酸素ボンベ（１２）の内側に挿入された管体（１６）と；
前記管体（１６）に挿入して通路を遮断し、前記管体（１６）の上部孔（１７）から下部の開放部を連結する流出通路（２４）が設けられた棒体（２２）と；
前記酸素ボンベ（１２）の下端部に付着され、一側に設けられたボタン（３２）の作動によって前記流出通路（２４）の下部出口側（２８）を開閉する開閉バルブ（３０）と；で構成されることを特徴とする請求項１に記載の非常照明灯が備えられた火災用酸素呼吸器。
【請求項３】
前記流出通路（２４）は前記棒体（２２）の外側に螺旋状に形成されることを特徴とする請求項１または請求項２に記載の非常照明灯が備えられた火災用酸素呼吸器。
【発明の詳細な説明】
【技術分野】
【０００１】
本発明は非常照明灯が備えられた火災用酸素呼吸器に関し、より詳しくは火災、災難、緊急状況の発生の時、呼吸しにくい暗い空間で安全に避難することができるようにする非常照明灯が備えられた火災用酸素呼吸器に関する。
【背景技術】
【０００２】
一般的に、建物に火災が発生したり、暗い空間に閉じ込まれるなど、緊迫で危ない緊急状況に置かれるとパニックになったり恐怖感に包まれて安全に対応することができなくなる。
【０００３】
これにより、従来には各種火災及び災難防止器具や安全装備が複数提案された。これに関する従来技術としては、各種消火器具を安全に保管するためのもので、韓国国内実用新案出願第２００４−１９３９７号の「消火安全器具箱」がある。これを概略的に説明すると、透明な蓋を有する本体の内部へ簡易消火器乃至非常照明、乾電池、防煙マスクを保管することができるようにしている。
【０００４】
しかしながら、前記のような従来の技術は火災のような緊急状況で防煙マスクを着用することが難しく、煙による窒息事故の危険が非常に高いという欠点と、非常照明灯や乾電池などのような各種安全器具を上手に使うことが困難であるという問題点があった。
【発明の概要】
【発明が解決しようとする課題】
【０００５】
本発明は誰でも容易に酸素呼吸器を操作することができ、また、前記酸素ボンベの一側に非常照明灯を一体に装着することによって、煙の中でも安全に呼吸することができ、暗みの中で安全に避難することができるように非常照明灯が備えられた酸素呼吸器を提供することを目的とする。
【０００６】
また、本発明は酸素呼吸器から放出される酸素が十分な長さに延長された螺旋状の流出通路に沿って適切な圧力で吐出されることによって、安定的に呼吸することができるようにすることを他の目的とする。
【課題を解決するための手段】
【０００７】
上述した目的を達するために本発明は、非常照明灯が備えられた火災用酸素呼吸器において、上部に凹入部が形成され、高圧の酸素が充填される酸素ボンベと；前記酸素ボンベ内部の酸素が所定長さに延長された流出通路を経て減圧された低圧の状態で放出させるための酸素排出手段と；前記排出手段の下部酸素出口側に付着されたノズルと；からなる酸素呼吸器と；前記凹入部に透明なカバーを有するケースを結合し、前記ケースの内側に発光ダイオード（ＬＥＤ）ランプを有する印刷回路基板が内装され、前記印刷回路基板の下部に内装型バッテリーが備えられ、前記ケースの外側に点灯スイッチが備えられた照明灯と；で構成されたことを特徴とする非常照明灯が備えられた火災用酸素呼吸器を提案する。
【０００８】
また、本発明のよる前記酸素排出手段は、前記酸素ボンベの内側に挿入された管体と；前記管体に挿入して通路を遮断し、前記管体の上部孔から下部の開放部を連結する流出通路が設けられた棒体と；前記酸素ボンベの下端部に付着され、一側に設けられたボタンの作動によって前記流出通路の下部出口側を開閉する開閉バルブと；で構成されることを特徴とする。
【０００９】
また、本発明の前記流出通路は前記棒体の外側に螺旋状に形成されることを特徴とする。
【図面の簡単な説明】
【００１０】
【図１】本発明の好ましい実施形態による非常照明灯が備えられた火災用酸素呼吸器の分離斜視図である。
【図２】本発明による非常照明灯が備えられた火災用酸素呼吸器の内部断面図である。
【図３】本発明による酸素呼吸器の作動状態を示す内部断面図である。
【図４】本発明の非常照明灯が備えられた火災用酸素呼吸器の他の実施形態によるノズルを示す図面である。
【発明を実施するための形態】
【００１１】
以下、本発明の好ましい実施例を添付された図面を参照して詳しく説明するが、本発明の実施例は本発明の属する技術分野において通常の知識を有する者が本発明をより容易に理解することができるように提供されるものである。また、本発明を説明する際に、関係する公知機能あるいは構成に対する具体的な説明が本発明の要旨を不必要に曖昧にする虞があると判断される場合には、その詳細な説明は省略する。
【００１２】
図１は本発明の好ましい実施形態による非常照明灯が備えられた火災用酸素呼吸器の分離斜視図であり、図２は本発明による非常照明灯が備えられた火災用酸素呼吸器の内部断面図である。
【００１３】
前記の図面によれば、本発明は、非常照明灯が備えられた火災用酸素呼吸器において、上部に凹入部１４が形成され、高圧の酸素が充填される酸素ボンベ１２と；前記酸素ボンベ１２内部の酸素が所定長さに延長された流出通路２４を経て減圧された低圧の状態で放出させるための酸素排出手段２０と；前記排出手段２０の下部酸素出口側に付着されたノズル３６と；で構成された酸素呼吸器１０と；前記凹入部１４に透明なカバー４３を有するケース４２が結合され、前記ケース４２の内側に発光ダイオード（ＬＥＤ）ランプ４５を有する印刷回路基板４６が内装され、前記印刷回路基板４６の下部に内装型バッテリー４８が備えられ、前記ケース４２の外側に点灯スイッチ４７が備えられた照明灯４０と；で構成されることを特徴とする。
【００１４】
また、本発明による前記酸素排出手段２０は、前記酸素ボンベ１２の内側に挿入された管体１６と；前記管体１６に挿入して通路を遮断し、前記管体１６の上部孔１７から下部の開放部を連結する流出通路２４が設けられた棒体２２と；前記酸素ボンベ１２の下端部に付着され、一側に設けられたボタン３２の作動によって前記流出通路２４の下部出口側２８を開閉する開閉バルブ３０と；で構成されることを特徴とする。
【００１５】
また、本発明の前記流出通路２４は、前記棒体２２の外側に螺旋状に形成されることを特徴とする。
【００１６】
上記構成をさらに詳しく説明すれば次の通りである。
【００１７】
本発明は、酸素呼吸器１０と、前記酸素呼吸器１０の一側に備えられた照明灯４０とで構成される。前記酸素呼吸器１０は、酸素ボンベ１２の内部に酸素０が高圧に充填され、前記酸素ボンベ１２の下部から内側へ管体１６が挿入され、前記管体１６には酸素を放出させるための酸素排出手段２０が備えられる。また、前記酸素ボンベ１２は内部に作用する酸素の高圧に耐えることができるように上部に凹んだ凹入部１４が形成されている。
【００１８】
前記酸素排出手段２０は酸素ボンベの内部中心には棒体２２が挿入された管体１６が設置され、前記管体の下端部は酸素ボンベの下部に付着された開閉バルブ３０によって開閉されるように構成される。また、前記開閉バルブ３０の出口３５に口で酸素を容易に吸い込むことができるようにノズル３６が付着される。
【００１９】
前記管体１６は、上部一側に孔１７が形成され、下端部は酸素ボンベの下端部に結合して開放され、前記管体の内側に棒体２２が挿入されて通路が遮断される。この時、前記棒体２２には流出通路２４が形成され、前記流出通路２４は上端の入口側２６が孔１７と連結され、下端の出口側２８は下向きに開放されて開閉バルブ３０の入口３４と連結される。ここで、前記の棒体が管体に挿入される時流出通路の入口側２６の孔１７と一致するように案内する所定のガイドを構成することが好ましい。
【００２０】
前記流出通路２４は、所定の長さに延長され、酸素ボンベの内部に高圧に作用する酸素の圧力の排出圧力を減圧し、図面のように、棒体２２の外側周辺に沿って螺旋状の溝を形成して管体との間に流出通路を設けることが好ましく、または横及び縦に交互にジグザグに延長して形成することもできる。
【００２１】
前記開閉バルブ３０はシリンダーの内部に弾性部材によって復帰されるスプールバルブ３１及びボタン３２で構成され、前記ボタン３２を押せばスプールバルブ３１が左／右に作動しながら出入口を変換することによって、前記流出通路２４を開放または遮断する。前記ボタン３２を放すと弾性部材の復元力によってスプールバルブが原状態に復位してバルブが遮断される。一方、前記開閉バルブ３０は電子式で作動するソレノイドバルブで構成してより便利で且つ安全に使用することができるようにすることもできる。
【００２２】
前記ノズル３６は開閉バルブの出口３５と連結された通孔３８が形成され、排出される酸素を容易に吸い込むように構成され、人の体に有害でありながらも柔らかい材質の天然ゴム、合成樹脂などで構成されることが好ましい。
【００２３】
図３は本発明による酸素呼吸器の作動状態を示す内部断面図である。
【００２４】
このように、本発明の酸素呼吸器１０はノズル３６を口にして前記開閉ベルブ３０のボタン３２を押せば酸素ボンベ１２の内部酸素を適正圧力で排出及び吸い込むことができて、火災の時、煙による窒息事故を防止することができる。
【００２５】
また、本発明の前記の照明灯４０は、上部に透明なカバー４４を有するケース４２と、前記ケースに内装された発光ダイオード（ＬＥＤ）ランプ４５乃至印刷回路基板（ＰＣＢ）４６と、電源用バッテリー４８と、反射鏡４９と、点灯スイッチ４７とで構成される。
【００２６】
前記ケース４２は前記酸素ボンベ１２の上部凹入部１４にねじ１５、４３で組み立てられ、内側に発光ダイオードランプ４５が備えられた印刷回路基板４６が設置され、前記印刷回路基板の底面に内装型バッテリー４８を結合して電源を供給する。
【００２７】
このように、本発明は前記照明灯４０が点灯スイッチ４７をスイッチングすると、発光ダイオードランプ４５の光が明るく照らして闇の中でも安全に脱出することができる。
【００２８】
図４は本発明の非常照明灯が備えられた火災用酸素呼吸器の他の実施例によるノズルを示した図面である。前記の図面によれば、前記ノズル３６′は酸素ボンベから排出される酸素を容易に吸入するためにするもので、前記酸素ボンベを立てた状態でノズルが水平になるように９０度に折曲げたり、または３０度から４５度の角度に斜めに構成する。
【産業上の利用可能性】
【００２９】
本発明は火災などのような緊急状況でも酸素呼吸器によって速かに酸素を吸い込むことができて煙による窒息事故を防止することができ、且つ照明灯を用いて暗い空間を簡単に脱出することができるようにする効果を奏する。
【００３０】
また、本発明は携帯や保管が便利であるという長所と、誰もが容易に操作することができて緊急な状況に速かに対応することができるなど卓越した安全性を提供する。
【００３１】
また、本発明は発光ダイオードランプを利用した非常照明灯で、電力の消耗が極めて低く、且つ堅固な耐久性を有し、長時間使用することができて、不時の事故に安全に対応することができるという効果を奏する。
【００３２】
さらに、本発明は酸素ボンベの内部に高圧に充填された酸素が螺旋状の流出通路を通じて適正な圧力に減圧されて排出されることによって人が吸い込むのに適切で、且つ楽に呼吸することができるようにする効果を奏する。
【図１】
2012533396.tif 000003
【図２】
2012533396.tif 000004
【図３】
2012533396.tif 000005
【図４】
2012533396.tif 000006
【国際調査報告】
2012533396.tif 000007
2012533396.tif 000008
2012533396.tif 000009
2012533396.tif 000010